(57)【要約】【課題】  映像データの保存が容易な映像データ入出力システムを提供する。【解決手段】  複写機能、プリンタ機能、ファクシミリ機能を有する画像形成装置１０６、デジタルカメラ機能を有する携帯電話１０１、コンピュータ１０４がインターネット１０８で接続された映像データ入出力システムであって、画像形成装置１０６は、携帯電話１０１から送ったメールを受信する機能と、該メールに添付された映像データを保存する機能を有する。【選択図】  図１
2005079696.tif 000002
【特許請求の範囲】
【請求項１】
複写機能、プリンタ機能、ファクシミリ機能を有する画像形成装置とデジタルカメラ機能を有する携帯電話とを備え、コンピュータがインターネット接続された映像データ入出力システムであって、前記画像形成装置は、前記携帯電話から送ったメールを受信して、該メールに添付された映像データを保存することを特徴とする映像データ入出力システム。
【請求項２】
前記携帯電話が画像形成装置の保存データの一覧参照指示および一覧参照を行ない、前記画像形成装置が該一覧参照指示を受け、保存データに関する一覧情報を提供することを特徴とする請求項１記載の映像データ入出力システム。
【請求項３】
前記携帯電話が画像形成装置の保存データの内容参照指示および内容参照を行ない、前記画像形成装置が該内容参照指示を受け、該当情報を提供することを特徴とする請求項１記載の映像データ入出力システム。
【請求項４】
前記携帯電話が画像形成装置の保存データの転送指示を行ない、前記画像形成装置が該転送指示を受け、メール送信により転送することを特徴とする請求項１乃至３のいずれか記載の映像データ入出力システム。
【請求項５】
前記携帯電話が画像形成装置の保存データの転送指示を行ない、前記画像形成装置が該転送指示を受け、ファクシミリ送信により転送することを特徴とする請求項１乃至３のいずれか記載の映像データ入出力システム。
【請求項６】
前記携帯電話が画像形成装置の保存データの印刷指示を行ない、前記画像形成装置が該印刷指示を受け、印刷することを特徴とする請求項１乃至３のいずれか記載の映像データ入出力システム。
【請求項７】
前記画像形成装置がユーザー登録機能と認証機能を有し、前記携帯電話からの接続要求に対しユーザー認証を行なうことを特徴とする請求項１乃至６のいずれか記載の映像データ入出力システム。
【請求項８】
請求項１記載の映像データ入出力システムを構成する画像形成装置。
【発明の詳細な説明】
【技術分野】
【０００１】
本発明は、複写機能、プリンタ機能、ファクシミリ機能を有する画像形成装置、デジタルカメラ機能を有する携帯電話、コンピュータがインターネット接続された映像データ入出力システムおよびその映像データ入出力システムにおける画像形成装置に関するものである。
【背景技術】
【０００２】
ネットワークを介する映像データの入出力制御に関連して、以下の特許文献１乃至４に記載の技術が知られている。
【特許文献１】特開２０００−２４４６９４公報
【特許文献２】特開２００３−３６２６７公報
【特許文献３】特開２００１−１５４９４３公報
【特許文献４】特開２００２−１３２７７２公報
【発明の開示】
【発明が解決しようとする課題】
【０００３】
昨今、デジタルカメラ機能付きの携帯電話が普及しつつあるが、これで撮影した映像は端末本体に有するメモリ等の記憶手段かまたは、送信機能を使用して端末本体以外の記憶手段に保存することになる。
他人とコミュニケーションをとるためや、業務用途で映像の送受信を行なう以前に、記憶手段の容量を気にせず撮影したものを保存したいと考えても、端末本体が有するメモリ容量には限界があり多くの映像は保存できない。また着脱可能なメモリカード等の記憶素子に保存する場合でも、多くの映像を保存する場合には多数必要となり、保存した映像を表示する場合は都度メモリカードの交換が必要となる。
送信機能を使用して保存する端末本体以外の記憶手段には、携帯電話会社が提供するサーバの記憶手段かあるいは、いずれも映像を受信可能な、自分が所有する他の機器かまたはインターネットサービスプロバイダから契約によって提供を受ける記憶手段が考えられる。
携帯電話会社が提供するサーバの記憶手段は、容量や保存期間に制限がある場合がある。自分が所有する他の機器へ随時保存できるようにするためには、他に必然性がなくてもこの機器を常時稼動状態にしておかなければならない。インターネットサービスプロバイダが提供する記憶手段を利用するためには契約が必要であり、利用料が発生し、容量によっては高額になる。
本発明は以上のような問題点を解決すべくなされたものであり、映像データの保存が容易な映像データ入出力システムおよび画像形成装置を提供することを目的とする。
【課題を解決するための手段】
【０００４】
上記目的を達成するために、請求項１記載の発明は、複写機能、プリンタ機能、ファクシミリ機能を有する画像形成装置とデジタルカメラ機能を有する携帯電話とを備え、コンピュータがインターネット接続された映像データ入出力システムであって、前記画像形成装置は、前記携帯電話から送ったメールを受信して、該メールに添付された映像データを保存することを特徴とする。
請求項２記載の発明は、前記携帯電話が画像形成装置の保存データの一覧参照指示および一覧参照を行ない、前記画像形成装置が該一覧参照指示を受け、保存データに関する一覧情報を提供することを特徴とする。
請求項３記載の発明は、前記携帯電話が画像形成装置の保存データの内容参照指示および内容参照を行ない、前記画像形成装置が該内容参照指示を受け、該当情報を提供することを特徴とする。
請求項４記載の発明は、前記携帯電話が画像形成装置の保存データの転送指示を行ない、前記画像形成装置が該転送指示を受け、メール送信により転送することを特徴とする。
請求項５記載の発明は、前記携帯電話が画像形成装置の保存データの転送指示を行ない、前記画像形成装置が該転送指示を受け、ファクシミリ送信により転送することを特徴とする。
請求項６記載の発明は、前記携帯電話が画像形成装置の保存データの印刷指示を行ない、前記画像形成装置が該印刷指示を受け、印刷することを特徴とする。
請求項７記載の発明は、前記画像形成装置がユーザー登録機能と認証機能を有し、前記携帯電話からの接続要求に対しユーザー認証を行なうことを特徴とする。
請求項８記載の発明は、請求項１記載の映像データ入出力システムを構成する画像形成装置を最も主要な特徴とする。
【発明の効果】
【０００５】
請求項１、８によれば、記憶手段の容量を気にすることなく撮影した映像データを手軽に保存できる。また保存期間が限定されることに付随する無駄な作業を省くことができる。また保存のための新たな契約や使用料が発生しない。さらに、ファクシミリ機能を有する画像形成装置(デジタル複合機)は常時稼動状態にあるため、必要なときはいつでも保存することができる。
請求項２によれば、大量のデータを保存しても、所望のデータを素早く探し出すことができる。また内容表示の際にもファイル名等データの特定情報を指定(入力)する手間が省ける。
請求項３によれば、データをメールやファクシミリで他の機器へ送信する際に、データを間違ってしまうことを防止できる。
請求項４によれば、データの保存期間を意識することなく、いつでも任意のデータを他の機器に対してメール送信できる。
請求項５によれば、ファクシミリ送信する際に、一度紙に印刷する必要がない。また、デジタル複合機から離れた場所で、近くにファクシミリしかない場合でも、紙への印刷物として必要データを手にすることができる。
請求項６によれば、デジタル複合機から離れた場所でも、必要データを印刷することができる。
請求項７によれば、デジタル複合機への不正なアクセスを防ぐことができる。
【発明を実施するための最良の形態】
【０００６】
以下、図面により本発明の実施の形態を詳細に説明する。
図１は本発明の実施の形態に係る映像データ入出力システムの全体構成図である。インターネット１０８へ接続が可能なデジタルカメラ機能付き携帯電話１０１、携帯電話会社の基地局１０２、インターネット１０８へ接続が可能な携帯電話１０３、インターネット１０８へ接続されているコンピュータ１０４、ファイヤーウォール１０５、デジタル複合機(画像形成装置)１０６、イントラネット１０９へ接続されているコンピュータ１０７、公衆電話網１１０、ファクシミリ１１１が示されている。
図２は図１に示す映像データ入出力システムにおけるデータ制御方法のシーケンス図である。図で２０１はユーザ登録用のコンピュータかまたはメール送信先の機器またはファクシミリ送信先の機器、２０２は請求項７記載の登録方法と認証方法のシーケンス、２０３は請求項１記載の保存方法のシーケンス、２０４は請求項２記載の一覧参照方法のシーケンス、２０５は請求項３記載の内容参照方法のシーケンス、２０６は請求項４記載のメールによる転送方法のシーケンス、２０７は請求項５記載のファクシミリによる転送方法のシーケンス、２０８は請求項６記載の印刷方法のシーケンスである。
【０００７】
第１の実施例について説明する。インターネット１０８へ接続が可能なデジタルカメラ機能付き携帯電話１０１で撮影した映像を、メールに添付しデジタル複合機１０６へ宛てて送信する。
デジタル複合機１０６では予め登録した特定ユーザからのメールを待ち受けるプログラムが稼動する。特定ユーザからのメールを受信すると、添付された映像を取り出し、文書保存手段(公知技術)によって保存し、成否の結果を携帯電話１０１へ報告する(２０３)。尚保存の際、特定ユーザに対応したユーザ領域等を設ける必要はなく、受信した映像は他の一般文書と同様に扱うことができる。
携帯電話１０１は携帯電話会社の基地局１０２によってインターネット１０８へ接続され、一方事務所や学校、家庭等に設置したデジタル複合機１０６はイントラネット(ローカルエリアネットワーク)１０９を構成し、ファイヤーウォール１０５を介してインターネット１０８へ接続する。
第２の実施例について説明する。携帯電話１０１ではデジタル複合機１０６に指示を与えるためのプログラムが稼動し、デジタル複合機１０６に保存してあるデータ(映像)の一覧参照指示はこのプログラムのメニューを選択することで発行することができる。
デジタル複合機１０６では予め登録した特定ユーザからの指示を待ち受けるプログラムが稼動する。特定ユーザからの一覧参照指示を受けると、該当ユーザが保存した全データ(映像)の特定情報を携帯電話１０１へ向けて送る(２０４)。指示の送受信プロトコルにはＨＴＴＰ等が考えられる。
第３の実施例について説明する。携帯電話１０１ではデジタル複合機１０６に指示を与えるためのプログラムが稼動し、デジタル複合機１０６に保存してあるデータ(映像)の内容参照指示はこのプログラムのメニューを選択することで発行することができる。このとき、内容参照するデータはファイル名等の特定情報を直接指示することも、また上記によって入手した一覧の中から選択することもできる。
デジタル複合機１０６では予め登録した特定ユーザからの指示を待ち受けるプログラムが稼動する。特定ユーザからの内容参照指示を受けると、該当ユーザが保存した該当データ内容を携帯電話１０１へ向けて送る(２０５)。指示の送受信プロトコルにはＨＴＴＰ等が考えられる。
【０００８】
第４の実施例について説明する。携帯電話１０１ではデジタル複合機１０６に指示を与えるためのプログラムが稼動し、メニュー選択により、デジタル複合機１０６に保存してあるデータ(映像)を他の機器へメール送信するよう、指示を出すことができる。このとき、メール送信するデータはファイル名等の特定情報を直接指示することも、また上記によって入手した一覧の中から選択することもできる。
デジタル複合機１０６では予め登録した特定ユーザからの指示を待ち受けるプログラムが稼動する。特定ユーザからのメール送信指示を受けると、該当ユーザが保存した該当データを、指示されたメールアドレスへ宛てて送る(２０６)。指示の送受信プロトコルにはＨＴＴＰ等が考えられる。
メールを送信できる他の機器にはインターネットへ接続が可能な携帯電話１０３、インターネット１０８へ接続されているコンピュータ１０４、イントラネット１０９へ接続されているコンピュータ１０７などがある。
第５の実施例について説明する。携帯電話１０１ではデジタル複合機１０６に指示を与えるためのプログラムが稼動し、メニュー選択により、デジタル複合機１０６に保存してあるデータ(映像)を他の機器へファクシミリ送信するよう、指示を出すことができる。このとき、ファクシミリ送信するデータはファイル名等の特定情報を直接指示することも、また上記によって入手した一覧の中から選択することもできる。
デジタル複合機１０６では予め登録した特定ユーザからの指示を待ち受けるプログラムが稼動する。特定ユーザからのファクシミリ送信指示を受けると、該当ユーザが保存した該当データを、デジタル複合機１０６が有するファクシミリ機能によって、公衆電話網１１０を介して指示されたファクシミリ１１１のファクシミリ番号へ宛てて送る(２０７)。指示の送受信プロトコルにはＨＴＴＰ等が考えられる。
【０００９】
第６の実施例について説明する。携帯電話１０１ではデジタル複合機１０６に指示を与えるためのプログラムが稼動し、メニュー選択により、デジタル複合機１０６に保存してあるデータ(映像)を印刷するよう、指示を出すことができる。このとき、印刷するデータはファイル名等の特定情報を直接指示することも、また上記によって入手した一覧の中から選択することもできる。
デジタル複合機１０６では予め登録した特定ユーザからの指示を待ち受けるプログラムが稼動する。特定ユーザからの印刷指示を受けると、該当ユーザが保存した該当データを、デジタル複合機１０６が有するプリンタ機能によって、指示された部数の印刷を行ない、成否の結果を携帯電話１０１へ報告する(２０８)。指示の送受信プロトコルにはＨＴＴＰ等が考えられる。
第７の記載の実施例について説明する。携帯電話１０１からデジタル複合機１０６へデータを保存したり指示を出すためには、デジタル複合機１０６にイントラネット１０９等で接続されたコンピュータ１０７等で予めユーザ登録する必要がある。コンピュータ１０７ではユーザ登録用のプログラムが稼動し、デジタル複合機１０６およびユーザや携帯電話１０１の情報を登録する。この情報の中には、携帯電話から入力するパスワードも含まれる。尚この登録プログラムはパスワードによって使用者を限定することができる。
一方デジタル複合機１０６では、上述のメールや指示を待ち受けるプログラムが、コンピュータ１０７で稼動する登録用プログラムからのユーザ特定情報を記憶する。以降、携帯電話からのメールや指示の受信に先立って接続要求があった場合に、パスワード入力を要求し、ユーザの特定を行なう。またパスワード入力の要求は随時行なうことができる。
【図面の簡単な説明】
【００１０】
【図１】本発明の実施の形態に係る映像データ入出力システムの全体構成図である。
【図２】図１に示す映像データ入出力システムにおけるデータ制御方法のシーケンス図である。
【符号の説明】
【００１１】
１０１  デジタルカメラ機能付き携帯電話
１０２  携帯電話会社の基地局
１０３  携帯電話
１０４  コンピュータ
１０５  ファイヤーウォール
１０６  デジタル複合機(画像形成装置)
１０７  コンピュータ
１０８  インターネット
１０９  イントラネット
１１０  公衆電話網
１１１  ファクシミリ
【図１】
2005079696.tif 000003
【図２】
2005079696.tif 000004